(57)【要約】【課題】従来、靴を履く際において靴の外形状で認知する手段がとられ、靴の左右を識別する手段がなかった。【解決手段】連結された絵柄、文字、記号等を印刷した靴カバーを設け靴の左右を識別する手段を提供する。【選択図】      図１
2006247345.tif 000002
【特許請求の範囲】
【請求項１】
靴の甲部を覆うカバー本体と、このカバー本体を靴の甲部分へ脱着する手段からなり、前記カバー本体の表面に絵柄、文字、数字、記号、彩色等の印刷及び刺繍を設けることを特徴した靴カバー。
【請求項２】
靴の甲部を覆うカバー本体と、このカバー本体を靴の甲部分へ脱着する手段からなり、前記カバー本体の表面に左右連結した絵柄、文字、数字、記号、彩色等の印刷及び刺繍を設けることを特徴した請求項１記の載靴カバー。
【請求項３】
靴の甲部を覆うカバー本体と、このカバー本体を靴の甲部分へ脱着する手段からなり、前記カバー本体の表面に立体刺繍手段及び印刷により左右連結した絵柄、文字、数字、記号、彩色等を設けることを特徴した請求項１及び２記載の靴カバー。
【発明の詳細な説明】
【発明の属する技術の分野】
【０００１】本発明は、靴の甲部を覆う靴カバーに関するものである。
【背景技術】
【０００２】従来、雨中に登山、散策において編上げ等の運動の靴紐部分に雨水の浸透を防ぐ目的の靴用カバー（特許公開番号平９−５６４２０）が発明されていた。
【特許文献１】特許公開番号特開平９−５６４２０
【発明の開示】
【発明が解決しようとする課題】
【０００３】これには次のような欠点があった。
従来、靴を履く際において靴の外形状で認知する手段がとられ、絵柄、文字、記号等の活用により、靴の左右を識別する手段がなかった。【０００４】  幼児が靴を履く際に靴の形状で左右の認知する手段がとられ、幼児において目視にて靴の左右の識別なる手段がなかった。【０００５】  目の不自由なひとにおいて、触感で靴の左右の確認をする手段がなかった。【０００６】  従来の靴機能において、靴本体に脱着及び交換可能なカバー本体が既存しないことから、デザイン性の拡張がなされていなかった。
本発明は、これらの問題点を解決するためになされたものである。
【課題を解決するための手段】
【０００７】靴の甲部を覆うカバー本体と、このカバー本体を靴の甲部分へ脱着する手段からなり、前記カバー本体の表面に絵柄、文字、数字、記号、彩色等の印刷及び刺繍を設け、また、カバー本体の表面に左右連結及び異なった絵柄、文字、数字、記号、彩色等の印刷及び刺繍や立体刺繍手段及び印刷により左右連結した絵柄、文字、数字、記号、彩色等を設けることを特徴した靴カバーを提供する。
【発明の効果】
【０００８】  靴の甲部を覆うカバー本体を靴の甲部分へ脱着する手段からなり、前記カバー本体の表面に左右連結及び異なった絵柄、文字、数字、記号、彩色等の印刷及び刺繍を設けることを特徴した靴カバーは、従来、靴を履く際において靴の外形状で認知する手段がとられていたが、本発明の効果により前記靴カバー本体に設けた絵柄、文字、記号等の効果により、靴の左右を識別する手段を可能とした。【０００９】  本発明のより前記靴カバー本体に設けた左右連結及び異なった絵柄、文字、記号等の印刷及び立体刺繍手段を設ける効果により、目の不自由なひとにおいて、触感で靴の左右の確認をする効果が得られた。【００１０】  靴の甲部を覆うカバー本体を靴の甲部分へ脱着する手段からなる靴カバー本体の提供により、従来の靴機能において、靴本体に脱着及び交換可能なカバー本体が既存しないことから、デザイン性の拡張がなされていなかった問題の解決に至った。【００１１】  靴の甲部を覆うカバー本体を靴の甲部分へ脱着する手段からなる靴カバー本体の提供により、幼稚園、保育所やマラソンイベント等において連盟表示と個別名の表示が可能となることで、ユニホームに代用した効果が得られる。【００１２】  従来の靴本体の販売提供にともない、本発明おける靴本体と脱着及び交換可能なカバー本体の提供により、絵柄、文字、数字、記号、彩色等の種別による前記カバー本体を単体で販売することから顧客に対して新たな販売の提供と提案が可能となる。
本発明は、以上の効果を実現するものである。
【発明を実施するための最良の形態】
【００１３】  以下、本発明の実施の形態について図１乃至図５をもちいて説明する。
図１に記載されているのは、本発明の実施形態に係る靴カバー本体の表面の図である。図３における靴本体（３０）に脱着されるべく、左カバー本体（１０）及び右カバー本体（２０）の表面に左右連結された絵柄で左靴カバープリント（１０２）、右靴カバープリント（２０２）が設けられている実施の形態を示した図である。
また、左靴カバープリント（１０２）、右靴カバープリント（２０２）のプリント及び刺繍においては左右連結及び異なった絵柄、文字、数字、記号、彩色等で実施されるものである。【００１４】  本発明における左カバー本体（１０）及び右カバー本体（２０）の表面に左右連結された絵柄で左靴カバープリント（１０２）、右靴カバープリント（２０２）の印刷方法においては、シルクスクリーン印刷、ジェットプリント、転写プリント、昇華印刷等、本発明の明細に記載されていない公知された技術を用いるものである。【００１５】図２に記載されているのは、前記図１に記載した靴カバー本体の裏面の図である。靴カバー本体の裏面は図３における靴本体（３０）に脱着されるべく、装着剥離が可能となる左装着テープ（１０３ａ．１０３ｂ）が設けられている。図３における靴本体（３０）と靴カバー本体の脱着手段においては、剥離可能なテープ及びチャック式等の本発明の明細に記載されていない公知された技術を用いるものである。【００１６】図３に記載されているのは、前記図１及び図２に記載した靴カバー本体と靴本体（３０）を装着する経過を示した図である。【００１７】図４に記載されているのは、前記図３に記載された靴カバー本体と靴本体（３０）装着する経過から、靴カバー本体と靴本体（３０）装着された状態を示した図である。【００１８】図５に記載されているのは、実施の応用例で左カバー本体（１０）及び右カバー本体（２０）の表面に左右連結された絵柄等で左靴カバープリント（１０２）、右靴カバープリント（２０２）が刺繍および、スポンジ、綿等の手段により立体的に製法された状態を示した図で、左靴カバープリント（１０２）、右靴カバープリント（２０２）の立体的に製法される手段においては、本発明の明細に記載されていない公知された技術を用いるものである。【００１９】以上、本発明の構成で、実施において下記に示す。
本発明の実施
本発明は靴の甲部を覆うカバー本体を靴の甲部分へ脱着する手段からなり、前記カバー本体の表面に左右連結した絵柄、文字、数字、記号、彩色等の印刷及び刺繍を設けることを特徴した靴カバーは、従来、靴を履く際において靴の外形状で認知する手段がとられていたが、本発明の実施により前記靴カバー本体に設けた絵柄、文字、記号等の効果により、靴の左右を目視にて識別する手段を可能とした。【００２０】  靴の左右を目視にて識別する手段の目的は幼児が靴を履く際に、靴の左右の認知が困難で、また、靴に対しての愛着を高めより前記靴カバー本体に設けた絵柄、文字、記号等の効果によりデザイン性を有効に活用する目的と実施に至るものである。【００２１】  靴カバー本体に設けた左右連結した絵柄、文字、記号等の印刷及び立体刺繍手段を設ける実施により、目の不自由なひとにおいて、触感で靴の左右の確認をする効果が得られる。【００２２】  靴の甲部を覆うカバー本体を靴の甲部分へ脱着する手段からなる靴カバー本体の提供により、従来の靴機能において、靴本体に脱着及び交換可能なカバー本体が既存しないことから、デザイン性の拡張の実施がなされるものである。【００２３】  靴の甲部を覆うカバー本体を靴の甲部分へ脱着する手段からなる靴カバー本体の提供により、幼稚園、保育所やマラソンイベント等において連盟表示と個別名の表示が可能となることで、ユニホームに代用した実施がなされる。
本発明は、以上の実施を実現するものである。
【産業上の利用可能性】
【００２４】  従来の靴本体の販売提供にともない、本発明おける靴本体と脱着及び交換可能なカバー本体の提供により、絵柄、文字、数字、記号、彩色等の種別による前記カバー本体を単体で販売することから顧客に対して新たな販売の提供と提案等において産業上利用されるものである。
【図面の簡単な説明】
【００２５】
【図１】本発明の実施形態に係る靴カバー本体の表面の図である。
【図２】本発明の実施形態に係る靴カバー本体の裏面の機構図である。
【図３】本発明の実施形態に係る靴本体と靴カバーの装着機構図である。
【図４】本発明の実施形態に係る靴本体と靴カバーの装着図である。
【図５】本発明の靴カバーにおける実施の応用例の図である。
【符号の説明】
【００２６】１０．左カバー本体
１０ａ．左カバー本体表
１０１．左靴カバー
１０２．左靴カバープリント
１０３ａ．左装着テープ
１０３ｂ．左装着テープ
１０４ａ．左装着部
１０４ｂ．左装着部
２０．右カバー本体
２０ｂ．右カバー本体裏
２０１．右靴カバー
２０２．右靴カバープリント
２０３ａ．右装着テープ
２０３ｂ．右装着テープ
２０４ａ．右装着部
２０４ｂ．右装着部
３０．靴本体
３０ａ．左足入部
３０ｂ．右足入部
３０１ａ．左つま先部
３０１ｂ．左つま先部
【図１】
2006247345.tif 000003
【図２】
2006247345.tif 000004
【図３】
2006247345.tif 000005
【図４】
2006247345.tif 000006
【図５】
2006247345.tif 000007